(57)【要約】【課題】マイクロホンユニットの前後への首振りに起因する振動雑音の発生を確実に防止できるようにしたマイクロホン装置の提供。【解決手段】マイクロホンユニットをマイクロホンケース内に配置させてなるマイクロホン装置において、マイクロホンユニット２４を板状弾性体２６に保持させてユニットマウンタ２３を形成するとともに、該ユニットマウンタ２３は、板状弾性体２６を介してマイクロホンケース１２側に首振りしないように上下二カ所にて位置固定させた。【選択図】図１
2006019825.tif 000002
【特許請求の範囲】
【請求項１】
マイクロホンユニットをマイクロホンケース内に配置させてなるマイクロホン装置において、
前記マイクロホンユニットを板状弾性体に保持させてユニットマウンタを形成するとともに、該ユニットマウンタは、前記板状弾性体を介して前記マイクロホンケース側に上下二カ所にて位置固定させたことを特徴とするマイクロホン装置。
【請求項２】
前記ユニットマウンタは、板状弾性体の面方向での略中央部に設けた保持窓部内にマイクロホンユニットをその外周部を介して保持させて形成した請求項１に記載のマイクロホン装置。
【発明の詳細な説明】
【技術分野】
【０００１】
本発明は、マイクロホンユニットが前後方向に首を振るように振動しないようにマイクロホンケース内に支持させて振動雑音の発生を抑えることができるマイクロホン装置に関する技術である。
【背景技術】
【０００２】
マイクロホンは、それがコンデンサマイクロホンとダイナミックマイクロホンとのいずれであるかを問わず、音波を受けて振動するダイアフラムと称される振動板を備えている。該振動板は、音波のみならず、例えばマイクロホンケースを伝わって加えられる振動によっても振動雑音を発生させる。そして、このような振動雑音の多くは、マイクロホンケースを手で擦ることにより発生するハンドリングノイズである。
【０００３】
図４は、従来からあるスタンド型マイクロホンの一例を示す正面側断面図であり、この例においては、マイクロホン１は、マイクロホンケース２内に基台部３が設置されており、該基台部３上にマイクロホンユニット４がその下端部側を介して位置固定されている。
【特許文献１】特開２００３−９２７９２号公報
【発明の開示】
【発明が解決しようとする課題】
【０００４】
しかし、マイクロホンユニット４は、基台部３側に片持ち的に支持される構造であることから、マイクロホン１に触った際などにマイクロホンユニット４が前後方向に首を振るように振動して振動雑音を発生させてしまう不都合があった。
【０００５】
本発明は、従来技術の上記課題に鑑み、マイクロホンユニットを備えるユニットマウンタをマイクロホンケース内の上下二カ所にて支持させることにより、マイクロホンユニットの前後への首振りに起因する振動雑音の発生を確実に防止できるようにしたマイクロホン装置を提供することを目的とする。
【課題を解決するための手段】
【０００６】
本発明は、上記目的を達成すべくなされたものであり、前記マイクロホンユニットを板状弾性体に保持させてユニットマウンタを形成するとともに、該ユニットマウンタは、前記板状弾性体を介して前記マイクロホンケース側に上下二カ所にて位置固定させたことを最も主要な特徴とする。
【０００７】
この場合、前記ユニットマウンタは、板状弾性体の面方向での略中央部に設けた保持窓部内にマイクロホンユニットをその外周部を介して保持させて形成するのが好ましい。
【発明の効果】
【０００８】
本発明によれば、マイクロホンユニットを板状弾性体に保持させてユニットマウンタを形成し、該ユニットマウンタを構成している板状弾性体を介してマイクロホンケース内の上下二カ所ににて支持させてあるので、マイクロホンユニットが前後方向に首を振るように振動するのを効果的に阻止することができるので、これに起因する振動雑音の発生を確実に防止することができる。
【発明を実施するための最良の形態】
【０００９】
図１は、本発明の一例を示す説明図であり、そのうちの（ａ）は正面図を、（ｂ）は（ａ）におけるＡ−Ａ線矢視方向での一部を省略した断面図をそれぞれ示す。図２は、図１におけるユニットマウンタの正面図を、図３は、該ユニットマウンタとマイクロホンケースとの配置関係を分解して示す断面図である。
【００１０】
これらの図によれば、図示しないスタンドに支持されるマイクロホン装置１１は、マイクロホンケース１２と、該マイクロホンケース１２内に収容されるマイク本体２２とを少なくとも備えて形成されれている。
【００１１】
このうち、マイクロホンケース１２は、スタンド側と連結される下ケース部１３と、パンチングメタルによって囲まれた上ケース部１４とに二分割されており、下ケース部１３内には、マイク本体２２の構成要素である例えばＦＥＴからなるインピーダンス変換器や信号増幅回路などを含む図示しない電気回路基板が収納される。
【００１２】
また、上ケース部１４内には、同じくマイク本体２２の構成要素である図２に示すようなユニットマウンタ２３が収納される。ユニットマウンタ２３は、例えば正面視略円形を呈するコンデンサ型のマイクロホンユニット２４と、該マイクロホンユニット２４を保持する板状弾性体２６とで形成されている。
【００１３】
このうち、マイクロホンユニット２４は、図示は省略してあるがユニットケース内に振動板、スペーサおよび固定極を収納して一体化することにより形成されている。
【００１４】
板状弾性体２６は、マイクロホンユニット２４の厚さよりも厚い適宜の肉厚を有するゴム板など、ゴム弾性を示す適宜素材を用いて形成されている。また、板状弾性体２６は、その中央部にマイクロホンユニット２４をその外周部２５を介して抜け落ちないように確実に保持することができる保持窓部２７を有しており、該保持窓部２７の上下方向に上ケース部１４の縦寸法との関係で定まる適宜長さの支板部２８を連設することでその全体が形成されている。
【００１５】
しかも、板状弾性体２６は、マイクロホンケース１２における上ケース部１４内に上下二カ所にて位置固定されており、これによりマイクロホンユニット２４の前後方向への首振り現象に起因する振動雑音の発生を確実に防止することができる。
【００１６】
すなわち、板状弾性体２６は、図３からも明らかなように下側に位置する支板部２８の下端中央部と、上側に位置する支板部２８の上端中央部とのそれぞれに弾性突起２９を備えており、下端中央部の弾性突起２９は、これと直交する方向に配置された支承板３０側に嵌着されて一体化されている。
【００１７】
そして、該支承板３０は、図１（ｂ）からも明らかなようにマイクロホンケース１２における下ケース部１３と上ケース部１４との境界面に位置固定されている。
【００１８】
また、板状弾性体２６における上端中央部の弾性突起２９は、支承板３０がマイクロホンケース１２内に位置固定された際に、その上ケース部１４の内側頂面に圧接する配置関係となるように形成されており、これによりユニットマウンタ２３は、マイクロホンケース１２内の上下二カ所にて位置固定されることになる。なお、板状弾性体２６における上端中央部の弾性突起２９のマイクロホンケース１２側に対する位置固定は、接着剤を介在させた接合固着のほか、両面テープを介在させての接合固着のほか、単に圧接させて位置固定したりネジ止めするなど、必要に応じ適宜の位置固定手法を採用することができる。
【００１９】
このため、本発明によれば、マイクロホンユニット２４を板状弾性体２６に保持させてユニットマウンタ２３を形成し、該ユニットマウンタ２３を状弾性体２６を介してマイクロホンケース１２側に上下二カ所にて位置固定させることができることになる。
【００２０】
したがって、特許文献１に示されているようにマイクロホンユニットを片持ち的に支持する構造とは異なり、マイクロホン装置１１を手で持っても、マイクロホンユニット２４が前後方向に首を振るように振動することを確実に阻止することができる。
【００２１】
このため、このような振動に由来する振動雑音の発生は、これを確実に防止することができる。また、マイクロホンユニット２４は、板状弾性体２６の保持窓部２７を介して抜け落ちることのないように確実に保持されているので、落下衝撃などの強い衝撃が加えられることがあっても、ユニットマウンタ２３としての一体性を維持させることができる。
【００２２】
以上は、本発明を図示例に基づいて説明したものであり、その具体的な構成はこれに限定されるものではない。例えば、板状弾性体側に対するマイクロホンユニットを板状弾性体に保持させる構造についても、保持窓部に嵌め込むことなく、マイクロホンユニットを上下方向から板状弾性体を用いて適宜手法により連結するようにしてもよい。
【００２３】
また、マイクロホンユニットは、シングルダイヤフラム型とダブルダイヤフラム型とのいずれであってもよい。さらに、本発明のマイクロホン装置は、コンデンサマイクロホンに限られるものではなく、ダイナミックマイクロホンにも適用することができる。さらにまた、スタンド型マイクロホンのほかに手持ち式マイクロホンにも適用することができる。つまり、マイクロホンユニットと板状弾性体とからなるユニットマウンタを備えているものでさえあれば、すべて本発明の技術的範囲に含まれる。
【図面の簡単な説明】
【００２４】
【図１】本発明の一例を示す説明図であり、そのうちの（ａ）は正面図を、（ｂ）は（ａ）におけるＡ−Ａ線矢視方向での一部を省略した断面図をそれぞれ示す。
【図２】図１におけるユニットマウンタの正面図を示す。
【図３】ユニットマウンタとマイクロホンケースとの配置関係を分解して示す断面図。
【図４】スタンド型マイクロホンの従来例を示す正面側断面図。
【符号の説明】
【００２５】
１１  マイクロホン装置
１２  マイクロホンケース
１３  下ケース部
１４  上ケース部
２２  マイク本体
２３  ユニットマウンタ
２４  マイクロホンユニット
２５  外周部
２６  板状弾性体
２７  保持窓部
２８  支板部
２９  弾性突起
３０  支承板
【図１】
2006019825.tif 000003
【図２】
2006019825.tif 000004
【図３】
2006019825.tif 000005
【図４】
2006019825.tif 000006